(57)【要約】      （修正有）【課題】予め設定した量の内容液のみを吸い上げることにより、正確な量の内容液を取り出し可能としたスポイト容器を提供する。【解決手段】吸い上げた内容液を吐出可能なスポイト容器１であって、スポイトキャップ３は、外筒部７と、外筒部７に対して環状壁１４を介して連結する内筒部１５と、内筒部１５の内面上部に対して液密に摺動可能な吐出ピストン１８を有し、外筒部７の内側上部に上下動可能且つ抜け出し不能に係合する押圧部９と、スポイト筒２６と、内筒部７の内面下部に対して液密に摺動可能な吸い上げピストン２７とを有し、外筒部７の内側下部に上下動可能且つ抜け出し不能に係合するとともに、口部５上端と環状壁１４に挟持固定されるスポイト部１０と、押圧部９及びスポイト部１０とを相互に離反させる方向に付勢するスプリング３１と、を備え、押圧部９は、装着状態でスポイト部１０により押し下げ不能に支持される。【選択図】図１
2015196503.tif 000002
【特許請求の範囲】
【請求項１】
内容液を収容する容器体と、該容器体の口部に着脱自在に装着され、該容器体への装着状態でその内部に垂下するスポイト筒を有するスポイトキャップとからなり、該スポイトキャップを容器体から取り外した際に自動的に内容液をスポイト筒内に吸い上げるとともに、押圧部の押し下げにより、吸い上げた内容液を吐出可能なスポイト容器であって、
該スポイトキャップは、
前記装着状態で口部に装着される外筒部と、
該外筒部に対して環状壁を介して連結する内筒部と、
該内筒部の内面上部に対して液密に摺動可能な吐出ピストンを有し、該外筒部の内側上部に上下動可能且つ抜け出し不能に係合する前記押圧部と、
前記スポイト筒と、該内筒部の内面下部に対して液密に摺動可能な吸い上げピストンとを有し、該外筒部の内側下部に上下動可能且つ抜け出し不能に係合するとともに、該口部上端と該環状壁に挟持固定されるスポイト部と、
前記押圧部と前記スポイト部との間に配置され、それらを相互に離反させる方向に付勢するスプリングとを備え、
前記押圧部は、前記装着状態で前記スポイト部に当接して押し下げ不能に支持されることを特徴とするスポイト容器。
【請求項２】
前記内筒部における前記内面上部の内径が、前記内面下部の内径よりも大きい、請求項１に記載のスポイト容器。
【発明の詳細な説明】
【技術分野】
【０００１】
本発明は、容器体内に収容された化粧水や薬液等の内容液をスポイト機能により取り出すスポイト容器に関するものである。
【背景技術】
【０００２】
このようなスポイト容器としては、容器体に装着されたキャップを取り外すことで自動的に内容液をスポイト筒内に吸い上げ、キャップ上部の押し釦（押圧部）を押し下げることで吸い上げた内容液を吐出する構造の容器が知られている（例えば、特許文献１）。
【０００３】
特許文献１のスポイト容器を使用する場合には、先ず、容器体に装着されたキャップの外筒を押し下げる。その際、押し釦も同時に押し下げられ、内部の弾性ドームが圧縮されてスポイト筒内の空気が排出される。次いで、押し下げた外筒を回動させると、その周壁の噛合部の回動によりキャップが上方へ押し上げられ、容器に対する係合が解除される。その後、外筒を上方へ引き上げると、外筒がスポイト筒に対して上方へ移動し、弾性ドームが元の状態に復元して容器体の内容液をスポイト筒内へ吸い上げ、さらにキャップ全体を上方へ引上げることでキャップを容器体から外すことができる。そして、押し釦を押し下げると、スポイト筒内の液体が先端開口から吐出される。
【先行技術文献】
【特許文献】
【０００４】
【特許文献１】実開平７−１７７５６号公報
【発明の概要】
【発明が解決しようとする課題】
【０００５】
ところで、上記のような、容器体からキャップを取り外した際に自動的にスポイト筒内に内容液を吸い上げるスポイト容器において、容器体にキャップを装着した状態で押圧部が押し下げられると、キャップを取り外した際に予め設定した量よりも過剰に内容液を吸い上げてしまい、正確な量の内容液を取り出すことができない虞があった。
【０００６】
それゆえ、本発明は、容器体からキャップを取り外した際に自動的にスポイト筒内へ内容液を吸い上げるスポイト容器において、予め設定した量の内容液のみを吸い上げることにより、正確な量の内容液を取り出し可能としたスポイト容器を提供することを目的とする。
【課題を解決するための手段】
【０００７】
上記課題を解決するため、本発明に係るスポイト容器は、内容液を収容する容器体と、該容器体の口部に着脱自在に装着され、該容器体への装着状態でその内部に垂下するスポイト筒を有するスポイトキャップとからなり、該スポイトキャップを容器体から取り外した際に自動的に内容液をスポイト筒内に吸い上げるとともに、押圧部の押し下げにより、吸い上げた内容液を吐出可能なスポイト容器であって、
該スポイトキャップは、
前記装着状態で口部に装着される外筒部と、
該外筒部に対して環状壁を介して連結する内筒部と、
該内筒部の内面上部に対して液密に摺動可能な吐出ピストンを有し、該外筒部の内側上部に上下動可能且つ抜け出し不能に係合する前記押圧部と、
前記スポイト筒と該内筒部の内面下部に対して液密に摺動可能な吸い上げピストンとを有し、該外筒部の内側下部に上下動可能且つ抜け出し不能に係合するとともに、該口部上端と該環状壁に挟持固定されるスポイト部と、
前記押圧部と前記スポイト部との間に配置され、それらを相互に離反させる方向に付勢するスプリングとを備え、
前記押圧部は、前記装着状態で前記スポイト部に当接して押し下げ不能に支持されることを特徴とする。
【０００８】
また、本発明に係るスポイト容器にあっては、前記内筒部における前記内面上部の内径が、前記内面下部の内径よりも大きいことが好ましい。
【発明の効果】
【０００９】
本発明によれば、容器体からキャップを取り外した際に自動的にスポイト筒内へ内容液を吸い上げるスポイト容器において、予め設定した量の内容液のみを吸い上げることにより、正確な量の内容液を取り出し可能としたスポイト容器を提供することができる。
【図面の簡単な説明】
【００１０】
【図１】本発明に従うスポイト容器の一実施形態につき、正面視での半断面図である。
【図２】図１のスポイト容器において、装着状態からスポイトキャップを取り外す様子を表す図である。
【図３】図１のスポイト容器において、スポイトキャップを取り外し、押圧部を押し下げた様子を表す図である。
【図４】本発明に従うスポイト容器の他の実施形態につき、正面視での半断面図である。
【発明を実施するための形態】
【００１１】
以下、図面を参照して、本発明のスポイト容器について説明する。図１に示す本発明の一実施形態であるスポイト容器１は、容器体２と、スポイトキャップ３とで構成される。また、図１は容器体２の口部５にスポイトキャップ３が装着された装着状態を表している。
【００１２】
容器体２は、内容液を収容する有底円筒状の容器本体部４と、容器本体部４の上端に設けられた円筒状の口部５とからなり、口部５の外周面には、外ねじ部６が設けられている。
【００１３】
スポイトキャップ３は、外筒部を構成する外キャップ７と、外キャップ７の内面に嵌合固定された内キャップ８と、外キャップ７に対して上下動可能に配置された押圧部９と、外キャップ７の内側で上下動可能に配置されたスポイト部１０を備える。
【００１４】
外キャップ７は、上方に向けて僅かに縮径する略円筒状の側壁１１と、側壁１１の上端から内側に延び、中央に開口１２ａが形成された天壁１２とで構成されている。
【００１５】
内キャップ８は、外キャップ７の側壁１１の内面に嵌合する筒状の嵌合側壁１３と、当該嵌合側壁１３の内面から内側に突出する環状壁１４と、環状壁１４から上方に突出し、内筒部を構成する内側筒１５とからなる。なお、本実施形態においては嵌合側壁１３の下側内面に、容器の外ねじ部６に対応する内ねじ部１６が設けられているが、外キャップ７の側壁１１内面に内ねじ部１６を形成してもよい。
【００１６】
押圧部９は、押圧部材１７と、押圧部材１７の下側に嵌合配置される吐出ピストン１８とを備える。押圧部材１７は、外キャップ７の天壁１２に形成された開口１２ａを貫通する円筒状の外筒１９と、当該外筒１９の上端を塞ぐ上壁２０と、外筒１９の内側で上壁２０から垂下する内筒２１とで構成される。外筒１９の下端部には外側に突出する段差部１９ａが設けられており、天壁１２の内縁部に係合して、外キャップ７に対して押圧部９を抜け出し不能としている。
【００１７】
吐出ピストン１８は、押圧部材１７の内筒２１の内面に嵌合固定され、その上端が上壁２０の下面に当接する円筒状の嵌合壁部２２と、嵌合壁部２２の下端を塞ぐ封止壁２３と、封止壁２３を外側に延長するように嵌合壁部２２の下端から外側に延びて、内側筒１５の内面上部に対して液密に摺動可能な第１摺動部２４と、封止壁２３の下面から垂下する支持筒２５と、で構成されている。
【００１８】
スポイト部１０は、スポイトキャップ３の装着状態で容器体２の内部に垂下するスポイト筒２６と、スポイト筒２６の上端に嵌合固定された吸い上げピストン２７と、スポイト筒２６の外周面に嵌合するパッキン２８とで構成されている。なお、本実施形態においてスポイト筒２６は直線状に延びて先端（下端）が先細り状とされているが、これに限られず、例えば先端が屈曲していたり、先端の外形が太くなっていたりしてもよい。
【００１９】
スポイト筒２６の上端部付近には、径が拡大した拡径部２６ａが設けられており、拡径部２６ａの下面がパッキン２８の上面に当接する。パッキン２８は、この拡径部２６ａと、その下側の凸部２６ｂによって抜け止め保持されている。また拡径部２６ａの外面には、外側に突出する係合部２９が設けられている。この係合部２９は、スポイトキャップ３を取り外した際に環状壁１４の内縁部１４ａに係合し、これによりスポイト部１０を内キャップ８に対して抜け出し不能としている。またパッキン２８は、容器体２に装着された際に、口部５上端と環状壁１４に挟持固定されて、口部５を封止するフランジ２８ａを有する。フランジ２８ａが口部５上端で固定されることにより、装着状態においてスポイト筒２６はパッキン２８を介して容器体２に固定される。
【００２０】
吸い上げピストン２７は、上記の第１摺動部２４の下方で、内側筒１５の内面下部に対して液密に摺動可能な第２摺動部３０を有する。本実施形態において第２摺動部３０の外径は、第１摺動部２４の外径と同一に構成されている。また、吐出ピストン１８と吸い上げピストン２７の間には、それらを相互に離反させる方向に付勢するスプリング３１が配置されている。スポイト筒２６の上端開口は、吐出ピストン１８、内側筒１５、及び吸い上げピストン２７によって囲まれる封止空間Ｓに連通しており、吐出ピストン１８及び吸い上げピストン２７の上下動により封止空間Ｓの容積は変化する。
【００２１】
ここで、スポイト容器１は、図１に示す装着状態において、押圧部９がスポイト部１０に下方から支持されて押し下げ不能となっている。詳細には、容器体２の口部５上端に配置されたパッキン２８によってスポイト筒２６が下方から支持され、さらに、スポイト筒２６の上端に設けた吸い上げピストン２７に、吐出ピストン１８の支持筒２５が当接することにより押圧部材１７が下方から支持され、押圧部９は押し下げ不能となる。
【００２２】
続いて、上記の構成を有するスポイト容器１の使用方法について説明する。なお、図１に示す装着状態において、スポイト筒２６の内部には内容液が吸い上げられていない。
【００２３】
図１の装着状態から、スポイトキャップ３を容器体２に対して螺脱すると、図２に示すように、スプリング３１に付勢されて吸い上げピストン２７が環状壁１４の内縁部１４ａに当接するまで下方へ移動する。これにより、封止空間Ｓの容積が拡大してスポイト筒２６の内部が負圧となるため、図２の矢印で示すように、スポイト筒２６の下端開口から内容液を吸い上げることができる。なお、この時、押圧部９は、吐出ピストン１８がスプリング３１に付勢されるため下方へ移動せず、外キャップ７の上端位置で保持される。また、スポイトキャップ３が自動的に吸い上げる内容液の量は、封止空間Ｓの容積が拡大する量に依存するため、係合部２９の上下位置を変更すること等により吸い上げピストン２７の移動距離を変更したり、内側筒１５の内径を変更したりすることで、吸い上げ量を適宜設定することができる。
【００２４】
吸い上げた内容液は、図３に示すように、スプリング３１の反発力に抗して押圧部９を押し下げることにより、スポイト筒２６の下端開口から吐出することができる。図３は、押圧部９を最大まで押し下げた様子を表し、この時、吸い上げピストン２７の上面に吐出ピストン１８の支持筒２５の下端が当接する。なお、本実施形態において、スポイトキャップ３を取り外した際に吸い上げピストン２７が下方に移動する距離と、押圧部９を最大まで押し下げた際に吐出ピストン１８が移動する距離は同一である。また、内側筒１５の内径は、上部から下部まで一定としている。これにより、スポイトキャップ３を取り外す際に封止空間Ｓの容積が拡大する量と、取り外したスポイトキャップ３の押圧部９を最大まで押し下げた際に封止空間Ｓの容積が縮小する量とは同一となるため、吸い上げた内容液を吐出することができる。
【００２５】
ここで、容器体２にスポイトキャップ３を装着した状態で押圧部９が押し下げ可能であると、装着状態のままスポイト筒２６の内部に内容液が吸い上げられてしまい、所期した量を超えて内容液を過剰に吸い上げてしまう虞がある。このため、本実施形態のスポイト容器１にあっては、装着状態において、押圧部９を押し下げ不能に構成している。これにより、装着状態において内容液がスポイト筒２６の内部に吸い上げられることがなくなるため、常に、予め設定した量の内容液のみを正確に吸い上げることができ、吸い上げた内容液を全て吐出すれば、所期した量の内容液を取り出すことが可能となる。
【００２６】
図４は、本発明に係る他の実施形態のスポイト容器１００を示しており、先のスポイト容器１と対応する構成は、共通の符号で表している。
【００２７】
スポイト容器１００の内側筒１５は、吐出ピストン１８の第１摺動部２４が摺動する内面上部の内径が、吸い上げピストン２７の第２摺動部３０が摺動する内面下部の内径よりも大きく、吐出ピストン１８の第１摺動部２４の外径が、吸い上げピストン２７の第２摺動部３０の外径よりも大きくなっている。このような構成により、スポイトキャップ３を取り外す際に封止空間Ｓの容積が拡大する量に比べて、取り外したスポイトキャップ３の押圧部９を最大まで押し下げた際に封止空間Ｓの容積が縮小する量が大きくなる。すなわち、吸い上げる量よりも吐き出す量が大きくなるため、スポイトキャップ３を取り外した際にスポイト筒２６の内部に吸い上げられた内容液を、一滴も残すことなく、より確実に全て吐出することが可能となり、所期した量の内容液をより確実に取り出すことが可能となる。
【００２８】
本発明に従うスポイト容器は、上述した実施形態に限定されるものではなく、特許請求の範囲に従う範囲で種々の変更が可能である。例えば、上記の実施形態では容器体２に対してスポイトキャップ３をねじ係合させる構成としたが、凹凸嵌合により上下に装着及び取り外しを行う構成とすることも可能である。
【符号の説明】
【００２９】
１、１００  スポイト容器
２  容器体
３  スポイトキャップ
４  容器本体部
５  口部
６  外ねじ部
７  外キャップ（外筒部）
８  内キャップ
９  押圧部
１０  スポイト部
１１  側壁
１２  天壁
１２ａ  開口
１３  嵌合側壁
１４  環状壁
１５  内側筒（内筒部）
１６  内ねじ部
１７  押圧部材
１８  吐出ピストン
１９  外筒
１９ａ  段差部
２０  上壁
２１  内筒
２２  嵌合壁部
２３  封止壁
２４  第１摺動部
２５  支持筒
２６  スポイト筒
２６ａ  拡径部
２６ｂ  凸部
２７  吸い上げピストン
２８  パッキン
２８ａ  フランジ
２９  係合部
３０  第２摺動部
３１  スプリング
Ｓ  封止空間
【図１】
2015196503.tif 000003
【図２】
2015196503.tif 000004
【図３】
2015196503.tif 000005
【図４】
2015196503.tif 000006